(57)【要約】      （修正有）【課題】取り付けやすく、騒音低減機能を備えた防ダニ・防塵・防水シートを提供する。【解決手段】防ダニ・防塵・防水シートは、第一のポリエステル繊維１と、第一のポリエステル繊維１の最上部に設けられるＰＴＦＥ層２と、ＰＴＦＥ層２の最上部に設けられる第二のポリエステル繊維３と、第二のポリエステル繊維３の最上部の両側にそれぞれ設けられる両面テープ４を含む。第一のポリエステル繊維１、ＰＴＦＥ層２、第二のポリエステル繊維３を順に圧接し、複合シートを超音波で封止する。開口を設け、その開口に両面テープ４を貼り付け、枕を入れてから、両面テープ４で完全に封止できる。枕カバーにはＰＴＦＥ層２が使用されているため、ダニ、唾液、油、フケ、黴菌などにより引き起こされる健康上の問題を防止できる。複合シートは網戸の代わり、あるいは網戸と組み合わせて使用でき、光が通るが向こう側が見えず、通気性を持ちながら２００ナノメートルを超えた粉塵粒子を遮り、雨水の浸入を防止し、空気をろ過し、室内空気を浄化できる。【選択図】図１
0003230161.tif 000002
【実用新案登録請求の範囲】
【請求項１】
第一のポリエステル繊維（１）を含む新型防ダニ・防塵・防水シートにおいて、
前記第一のポリエステル繊維（１）の最上部にＰＴＦＥ層（２）が設けられ、
ＰＴＦＥ層（２）の最上部に第二のポリエステル繊維（３）がさらに設けられ、
前記第二のポリエステル繊維（３）の最上部の両側にそれぞれ両面テープ（４）が設けられ、
両面テープ（４）の最上部に防護シート（５）がさらに設けられることを特徴とする防ダニ・防塵・防水シート。
【請求項２】
前記第一のポリエステル繊維（１）とＰＴＦＥ層（２）が圧接されることを特徴とする請求項１に記載の防ダニ・防塵・防水シート。
【請求項３】
前記ＰＴＦＥ層（２）と第二のポリエステル繊維（３）が圧接されることを特徴とする請求項１に記載の防ダニ・防塵・防水シート。
【請求項４】
前記第二のポリエステル繊維（３）と両面テープ（４）が接着されることを特徴とする請求項１に記載の防ダニ・防塵・防水シート。
【請求項５】
前記両面テープ（４）と防護シート（５）が接着され、防護シート（５）と第一のポリエステル繊維（１）が接着されることを特徴とする請求項１に記載の防ダニ・防塵・防水シート。
【請求項６】
前記第一のポリエステル繊維（１）、ＰＴＦＥ層（２）、第二のポリエステル繊維（３）が順に圧接され、
第一のポリエステル繊維（１）、ＰＴＦＥ層（２）、第二のポリエステル繊維（３）が圧接された後、１００〜２００ナノメートルに達することを特徴とする請求項１に記載の防ダニ・防塵・防水シート。
【考案の詳細な説明】
【技術分野】
【０００１】
本考案は防水シートの技術分野に属し、具体的には新型防ダニ・防塵・防水シートに関するものである。
【背景技術】
【０００２】
防水シートは防油、防水性能を有する最上層シートであり、薄くて、反射防止シートの光学的特性を変えない。防水・防塵シートは水、埃などの汚れとレンズの接触面積を小さくし、１１０度の角を作り、よって汚れがレンズ表面に付着しにくく、フィルタの表面がよりきれいであり、防水、防霧、防塵、防指紋などの防汚機能も備わる。
【０００３】
従来技術には次の問題が存在している。一般的なシートは防ダニ・防塵・防水の機能を同時に備えておらず、また、２００ナノメートルを超えたの粒子を物理的に遮り、ろ過することができず、よって防水、防塵、防ダニ虫、防カビ、防花粉などの役割を果たすことができない。
【考案の概要】
【０００４】
背景技術で言及した上記問題を解決するために、本考案は新型防ダニ・防塵・防水シートを提供し、それは取り付けやすく、同時に防ダニ、防水、防塵、及び騒音低減の機能も備わる。
【０００５】
上記目的を実現するために、本考案は以下の技術的解決手段を提供する。新型防ダニ・防塵・防水シートであって、第一のポリエステル繊維と、第一のポリエステル繊維の最上部に設けられるＰＴＦＥ層と、ＰＴＦＥ層の最上部に設けられる第二のポリエステル繊維と、第二のポリエステル繊維の最上部の両側にそれぞれ設けられる両面テープと、両面テープの最上部にさらに設けられる防護シートと、を含む。
【０００６】
好ましくは、前記第一のポリエステル繊維とＰＴＦＥ層は圧接される。
好ましくは、前記ＰＴＦＥ層と第二のポリエステル繊維は圧接される。
好ましくは、前記第二のポリエステル繊維と両面テープは接着される。
【０００７】
好ましくは、前記両面テープと防護シートは接着され、防護シートと第一のポリエステル繊維は接着される。
【０００８】
好ましくは、前記第一のポリエステル繊維、ＰＴＦＥ層、第二のポリエステル繊維は順に圧接され、第一のポリエステル繊維、ＰＴＦＥ層、第二のポリエステル繊維が圧接された後、１００〜２００ナノメートルに達する。
従来技術に比べて、本考案の有益な効果は以下のとおりである。
【０００９】
１、本考案は、第一のポリエステル繊維、ＰＴＦＥ層、第二のポリエステル繊維が順に圧接されるため、複合シートを超音波で封止することができる。開口を設け、その開口に両面テープを貼り付け、枕を入れてから、両面テープで封止することにより、完全に封止することができる。該新型枕カバーにはＰＴＦＥ層が使用されているため、ダニ、唾液、油、フケ、黴菌などにより引き起こされる健康上の問題を防ぐことができる。
【００１０】
２、本考案は、第一のポリエステル繊維、ＰＴＦＥ層、第二のポリエステル繊維が順に圧接されるため、該複合シートは網戸の代わりに、あるいは網戸と組み合わせて使用することができる。該複合シートには両面テープ又は磁石棒などの付属品が用いられ、その目的は該複合シートを窓枠に固定し、窓枠全体を覆うことであり、それにより光が通るが向こう側が見えず、通気性を持ちながら２００ナノメートルを超えた粉塵粒子を遮り、雨水の浸入を防止し、空気をろ過し、室内空気を浄化するという役割を果たすことができる。
【００１１】
３、本考案は、第一のポリエステル繊維、ＰＴＦＥ層、第二のポリエステル繊維が順に圧接されるため、該複合シートで障子紙を代替することができる。該複合シートを両面テープで、又は直接木枠に挟むことができ、それにより光が通るが向こう側が見えず、さらに通気性を持ち、部屋の換気をよくし、２００ナノメートルを超えた粉塵粒子を遮り、雨水の浸入を防止し、空気をろ過し、室内空気を浄化するという役割を果たすことができる。
【図面の簡単な説明】
【００１２】
【図１】本考案の構造概略図である。
【図２】本考案の構造概略図の俯瞰図である。
【考案を実施するための形態】
【００１３】
以下において、本考案実施例の図面と共に本考案の実施例の技術的解決手段を明瞭、かつ完全に説明するが、当然ながら，説明する実施例は本考案の一部の実施例にすぎず，全ての実施例ではない。本考案の実施例に基づいて、当業者が創造的な労力を要さずに想到しうる全ての他の実施例は、いずれも本考案の請求範囲に属する。
【００１４】
図１〜２に示すとおり、本考案は以下の技術的解決手段を提供する。新型防ダニ・防塵・防水シートであって、第一のポリエステル繊維１と、第一のポリエステル繊維１の最上部に設けられるＰＴＦＥ層２と、ＰＴＦＥ層２の最上部にさらに設けられる第二のポリエステル繊維３と、第二のポリエステル繊維３の最上部の両側にそれぞれ設けられる両面テープ４と、両面テープ４の最上部にさらに設けられる防護シート５と、を含む。第一のポリエステル繊維１、第二のポリエステル繊維３は良好な防しわ性とコンフォーマル性があり、高い強度と弾性回復性を有し、堅牢で耐久であり、防しわ性があるためアイロンをかけなくてもよく、毛がつかない。
【００１５】
具体的には、第一のポリエステル繊維１とＰＴＦＥ層２は圧接される。第一のポリエステル繊維１、第二のポリエステル繊維３をｐｐ材料に交換することができる。ｐｐ材料はすなわちポリプロピレンである。ポリプロピレンは無毒、無臭、無味の乳白色の高結晶性ポリマーであり、密度はわずか０．９０であり、既存のプラスチックの中で最も軽い種類の１つであり、水に対する安定性が高く、水中での吸水率はわずか０．０１％であり、分子量は約８万〜１５万であり、成形性が高い。
【００１６】
具体的には、ＰＴＦＥ層２と第二のポリエステル繊維３は圧接される。ＰＴＦＥ層はテトラフルオロエチレンをモノマーとして重合した高分子ポリマーであり、白色の蝋状であり、半透明で、耐熱性、耐寒性が高く、−１８０〜２６０℃で長時間使用することができる。この材料には抗酸性、抗アルカリ性、あらゆる有機溶媒に対する耐性を有し、ほぼすべての溶媒に溶解しない。同時に、ポリテトラフルオロエチレンは耐高温の特徴を有し、摩擦係数が非常に低い。
具体的には、第二のポリエステル繊維３と両面テープ４は接着される。両面テープ４は該複合シートと他の物体の間に使用される。
【００１７】
具体的には、両面テープ４と防護シート５は接着され、防護シート５と第一のポリエステル繊維１は接着される。防護シート５は外部の汚れが該複合シートに付着し、該複合シートの正常な使用に影響を与えることを防止するためのものである。
【００１８】
具体的には、第一のポリエステル繊維１、ＰＴＦＥ層２、第二のポリエステル繊維３は順に圧接され、第一のポリエステル繊維１、ＰＴＦＥ層２、第二のポリエステル繊維３が圧接された後は１００〜２００ナノメートルに達する。該複合シートは２００ナノメートルを超えた粒子を物理的に遮り、ろ過することができ、防水、防塵、防ダニ虫、防カビ、防花粉などの役割を果たすことができる。
【００１９】
本考案の動作原理と使用手順は次のとおりである。本考案において、第一のポリエステル繊維１、ＰＴＦＥ層２及び第二のポリエステル繊維３が順に複合させ、複合シートを超音波で封止することができる。開口を設け、その開口に両面テープを貼り付け、枕を入れてから、枕カバーとして使用することができる。両面テープで封止することにより、完全に封止することができる。該新型枕カバーにはＰＴＦＥ層が使用されているため、ダニ、唾液、油、フケ、黴菌などにより引き起こされる健康上の問題を防ぐことができる。該複合シートは網戸の代わりに、あるいは網戸と組み合わせて、窓シートとして使用することができる。該複合シートには両面テープ又は磁石棒などの付属品が用いられ、その目的は該複合シートを窓枠に固定し、窓枠全体を覆うことであり、それにより光が通るが向こう側が見えず、通気性を持ちながら２００ナノメートルを超えた粉塵粒子を遮り、雨水の浸入を防止し、空気をろ過し、室内空気を浄化するという役割を果たすことができる。該複合シートで障子紙を代替することができ、障子紙シートとして使用することができる。該複合シートを両面テープで、又は直接木枠に挟むことができ、それにより光が通るが向こう側が見えず、さらに通気性を持ち、部屋の換気をよくし、２００ナノメートルを超えた粉塵粒子を遮り、雨水の浸入を防止し、空気をろ過し、室内空気を浄化するという役割を果たすことができる。
【００２０】
本考案の実施例を示し、説明しているが、当業者であれば理解されるように、本考案の原理と精神から逸脱することなく、これらの実施例に対するあらゆる変更、修正、置換、及び変形が可能であり、本考案の範囲は添付の実用新案登録請求の範囲及びその均等物によって限定されるのである。
【符号の説明】
【００２１】
１、第一のポリエステル繊維；２、ＰＴＦＥ層；３、第二のポリエステル繊維；４、両面テープ；５、防護シート
【図１】
0003230161.tif 000003
【図２】
0003230161.tif 000004